(57)【要約】【課題】番組のジャンル別の視聴実績に基づきジャンル別の番組再生を制御することが可能な再生制御装置を提供すること。【解決手段】再生制御装置は、番組のジャンル別の再生上限時間を設定する設定手段と、番組を選択する選択手段と、前記選択番組のジャンル別に再生時間を測定する測定手段と、前記選択番組のジャンルの再生上限時間及び前記選択番組のジャンルの再生時間に基づき、前記選択番組の再生を制御する再生制御手段とを備えている。前記再生制御手段は、前記選択番組のジャンルの再生上限時間と前記選択番組のジャンルの再生時間との差分時間が所定時間未満である場合に、つまり残り再生時間が所定時間より少なくなっている場合に、前記選択番組の再生を禁止又は停止する。【選択図】      図１
2010087872.tif 000002
【特許請求の範囲】
【請求項１】
番組のジャンル別の再生上限時間を設定する設定手段と、
番組を選択する選択手段と、
前記選択番組のジャンル別に再生時間を測定する測定手段と、
前記選択番組のジャンルの再生上限時間及び前記選択番組のジャンルの再生時間に基づき、前記選択番組の再生を制御する再生制御手段と、
を備えたことを特徴とする再生制御装置。
【請求項２】
前記再生制御手段は、前記選択番組のジャンルの再生上限時間と前記選択番組のジャンルの再生時間との差分時間が所定時間未満である場合に、前記選択番組の再生を禁止することを特徴とする請求項１に記載の再生制御装置。
【請求項３】
前記設定手段は、前記ジャンル別の再生上限時間の変更入力に基づき、前記ジャンル別の再生上限時間を変更することを特徴とする請求項１に記載の再生制御装置。
【請求項４】
前記ジャンル別の再生上限時間及び前記ジャンル別の再生時間を表示するための表示情報を出力する出力手段を備えたことを特徴とする請求項１に記載の再生制御装置。
【請求項５】
前記選択番組のジャンルの再生上限時間と前記選択番組のジャンルの再生時間との差分時間を表示するための表示情報を出力する出力手段を備えたことを特徴とする請求項１に記載の再生制御装置。
【請求項６】
各番組のジャンル及びジャンル別の番組視聴要求を含む個人情報に基づき推薦番組リストを生成する番組リスト生成手段と、
前記推薦番組リストを表示するための表示情報を出力する出力手段と、
を備えたことを特徴とする請求項１に記載の再生制御装置。
【請求項７】
前記ジャンル別の再生上限時間と前記ジャンル別の再生時間との各差分時間に基づき再生可能なジャンルを検出し、前記再生可能なジャンルに基づき再生可能な番組を検出し、再生可能な番組リストを生成する番組リスト生成手段と、
前記選択番組の再生禁止時に、前記番組リストを表示するための表示情報を出力する出力手段と、
を備えたことを特徴とする請求項２に記載の再生制御装置。
【請求項８】
前記番組リスト生成手段は、前記ジャンル別の再生時間に基づき再生可能な番組の優先順位を決定し、この優先順位が反映された前記番組リストを生成することを特徴とする請求項７に記載の再生制御装置。
【請求項９】
視聴者の特徴情報を登録する登録手段と、
視聴者の特徴情報を読み取る読取手段と、
前記登録特徴情報及び前記読取特徴情報に基づき視聴者を認識する認識手段と、
を備え、
前記設定手段は、視聴者別且つ番組のジャンル別の再生上限時間を設定し、
前記測定手段は、視聴者別且つ前記選択番組のジャンル別の再生時間を測定し、
前記再生制御手段は、認識された視聴者用に設定されたジャンル別の再生上限時間のうちの前記選択番組のジャンルの再生上限時間、及び認識された視聴者用に測定されたジャンル別の再生時間のうちの前記選択番組のジャンルの再生時間に基づき、前記選択番組の再生を制御する、
ことを特徴とする請求項１に記載の再生制御装置。
【請求項１０】
番組のジャンル別の再生上限時間を設定し、
番組を選択し、
選択番組のジャンル別に再生時間を測定し、
前記選択番組のジャンルの再生上限時間及び前記選択番組のジャンルの再生時間に基づき、前記選択番組の再生を制御する、
ことを特徴とする再生制御方法。
【発明の詳細な説明】
【技術分野】
【０００１】
本発明は、番組のジャンルに基づき再生を制御する再生制御装置及び再生制御方法に関する。
【背景技術】
【０００２】
近年の視聴環境の向上に伴い、視聴可能な番組が増大し、ユーザは様々な番組を楽しむことができるようになっている。このような視聴可能な番組の増大に対して、ユーザの嗜好性に応じた番組を推薦する番組推薦装置に関する技術が提案されている（特許文献１参照）。この提案された技術によると、番組推薦装置は、ユーザの嗜好を登録し、ユーザの嗜好に対応した番組を番組情報の中から検索し、検索された番組に基づいて推薦番組リストを提供する。
【０００３】
また、ユーザ別に動作を制御する放送受信装置に関する技術が提案されている（特許文献２参照）。この提案された技術によると、放送受信装置は、ユーザを認証し、認証したユーザの録画コンテンツ一覧を表示し、選択された録画コンテンツを再生又は編集する。
【特許文献１】特開２００７−２８２０４２
【特許文献２】特開２００４−２１４９６６
【発明の開示】
【発明が解決しようとする課題】
【０００４】
上記したような視聴可能な番組の増大に対して、例えば、保護者から、子供の年齢、性別、性格、及び能力等に応じて、番組のジャンル別に番組視聴を制御したいという要望が挙げられている。例えば、保護者が、子供の番組視聴を次のように計画し、子供の能力を育成したいと仮定する。
【０００５】
語学番組：１０時間／月
音楽番組：５時間／月
歴史番組：３時間／月
上記視聴計画を達成するために、保護者は、子供に付き添うなどして、目的のジャンルの番組を選択し、番組の視聴を管理する。しかも、視聴傾向の偏りを防止したいような場合には、ジャンル別の視聴時間も管理しなければならず、保護者の負担は大きい。
【０００６】
上記特許文献１に開示された番組推薦装置は、ユーザの嗜好性に応じた番組を推薦することができるが、番組のジャンルに応じてユーザ（例えば子供）の視聴を制御することはできない。つまり、この番組推薦装置は、登録されたユーザの嗜好性に適合した番組を推薦するだけで、例えば、番組の視聴実績を考慮し、番組のジャンル別にバランスよくユーザの視聴を制御することはできない。
【０００７】
また、上記特許文献２に開示された放送受信装置は、ユーザを認識しユーザ別にコンテンツの再生又は編集を制御することはできるが、番組のジャンルに応じて、認識したユーザの視聴を制御することはできない。つまり、この放送受信装置も、番組の視聴実績を考慮し、番組のジャンル別にバランスよくユーザの視聴を制御することはできない。
【０００８】
本発明の目的は、番組のジャンル別の視聴実績に基づきジャンル別の番組再生を制御することが可能な再生制御装置及び再生制御方法を提供することにある。
【課題を解決するための手段】
【０００９】
この発明の一実施形態に係る再生制御装置は、番組のジャンル別の再生上限時間を設定する設定手段と、番組を選択する選択手段と、前記選択番組のジャンル別に再生時間を測定する測定手段と、前記選択番組のジャンルの再生上限時間及び前記選択番組のジャンルの再生時間に基づき、前記選択番組の再生を制御する再生制御手段とを備えている。
【００１０】
この発明の一実施形態に係る再生制御方法は、番組のジャンル別の再生上限時間を設定し、番組を選択し、選択番組のジャンル別に再生時間を測定し、前記選択番組のジャンルの再生上限時間及び前記選択番組のジャンルの再生時間に基づき、前記選択番組の再生を制御する。
【発明の効果】
【００１１】
本発明によれば、番組のジャンル別の視聴実績に基づきジャンル別の番組再生を制御することが可能な再生制御装置及び再生制御方法を提供できる。
【発明を実施するための最良の形態】
【００１２】
以下、図面を参照し、本発明の実施形態について説明する。
【００１３】
図１は、本発明の一実施形態に係る視聴計画テレビ（再生制御装置）の概略構成を示す図である。例えば、視聴計画テレビ１００は、子供のいる家庭に設置することができる。現在、チャンネル数の増大（地上波、衛生波、ケーブル）、HDDなど記録媒体の大容量化による録画容量の増大、DVDなどのメディアの普及により、視聴可能なコンテンツが急激に増えている。これら多数のコンテンツの中には、青少年に有害な内容を含むものもある。自己コントロールが不十分な子供に対して、これら多数のコンテンツが無条件に提供されてしまうのは望ましくない。保護者は、放送番組表又は録画内容から、子供に適切なコンテンツを調べて計画的に視聴させたい。しかしながら、保護者にとって、コンテンツの視聴計画を立てるのは面倒であるし、また子供に付き添ってコンテンツの視聴等を管理するのは難しい。
【００１４】
本実施形態で説明する視聴計画テレビ１００は、上記したような課題を解決することができる。図１に示すように、視聴計画テレビ１００は、受信アンテナ１０１、チューナ１０２、入力端子１０３、バス１０４、個人情報データベース１０５、解析モジュール１０６、時間測定モジュール１０７、視聴計画管理モジュール１０８、デコードモジュール１０９、パスワード認証モジュール１１０、入力モジュール１１１、情報処理モジュール１１２、表示制御モジュール１１３、視聴計画データベース１１４、コンテンツデータベース１１５、情報取得モジュール１１６、ディスプレイ１１７を備えている。
【００１５】
受信アンテナ１０１は、地上放送及び衛星放送を受信する。チューナ１０２は、受信放送信号から指定チャンネルの信号を選択する。デコードモジュール１０９は、選択された信号をデコードする。例えば、受信放送信号にはＥＰＧ（電子番組ガイド）が含まれており、視聴計画管理モジュール１０８は、ＥＰＧに基づき、図６に示す番組情報を生成する。生成された番組情報は、コンテンツデータベース１１５に記憶（登録）される。番組情報は、番組タイトル、ジャンル、教育性、付加情報価値、年齢指定、レクリエーション性などの情報を含む。例えば、付加情報価値は０−９までの１０段階（社会３、音楽２など）で示され、レクリエーション性は０−５までの６段階で示される。
【００１６】
入力端子１０３は、例えば、ＨＤＤレコーダ又はＤＶＤプレイヤーからの信号を入力する。入力端子１０３から入力される信号は、コンテンツデータ、コンテンツガイド情報を含み、視聴計画管理モジュール１０８は、このコンテンツガイド情報から上記したような番組情報を生成する。生成された番組情報は、コンテンツデータベース１１５に記憶（登録）される。
【００１７】
視聴計画管理モジュール１０８は、コンテンツデータベース１１５に蓄積された番組情報により、受信アンテナ１０１で受信された放送信号により提供される各番組のジャンル、及び入力端子１０３から入力された入力信号により提供される各コンテンツのジャンルを検出することができる。
【００１８】
また、入力モジュール１１１は、例えば、操作入力部であり、視聴計画テレビ１００の電源オンの操作、及び番組選択の操作などを受け付ける。また、入力モジュール１１１は、パスワード、個人情報、及び視聴計画等の情報入力も受け付ける。
【００１９】
例えば、視聴計画者（例えば保護者）は、入力モジュール１１１を介して、図５に示すような個人情報を入力することができる。例えば、個人情報には視聴者番号が割り振られ、個人情報は、氏名、性別、年齢、視力、聴力、性格／特質、刺激などに対する過敏性、育成したい能力（ジャンル別の番組視聴要求）、本人の嗜好（ジャンル別の番組視聴要求）などの情報を含む。例えば、性格／特質は、感情性、理論性、社交性、依存性、行動性などを０−９までの１０段階で示すことができる。また、育成したい能力は、語学、科学、文学、音楽、スポーツ、歴史などを０−５までの６段階で示すできる。本人の嗜好は、アニメ、スポーツ、娯楽などを０−５までの６段階で示すことができる。個人情報は、個人情報データベース１０５に記憶（登録）される。
【００２０】
さらに、視聴計画者は、入力モジュール１１１を介して、視聴者別に視聴計画を設定することができる。図３は、視聴計画設定処理の一例を示すフローチャートである。
【００２１】
上記したように、視聴計画テレビ１００（視聴計画管理モジュール１０８）は、アンテナ１０１を介して受信された受信放送信号に含まれたＥＰＧ、及び入力端子１０３から入力された入力信号に含まれたコンテンツガイド情報に基づき番組情報を取得する（ＳＴ３０１）。
【００２２】
視聴計画者は、入力モジュール１１１を介して、パスワードを入力し、パスワード認証モジュール１１０が、入力パスワードを認証すると（ＳＴ３０２）、視聴計画管理モジュール１０８による視聴計画の設定が可能となる。
【００２３】
視聴計画者が、入力モジュール１１１を介して、視聴計画設定モードを指定し、個人情報データベース１０５に蓄積された複数の個人情報の中から所定の個人情報を選択すると、視聴計画管理モジュール１０８は、コンテンツデータベース１１５に蓄積された番組情報及び選択された所定の個人情報に基づき推薦視聴リストを生成し、ディスプレイ１１７は、生成された推薦視聴リストを表示する（ＳＴ３０３）。
【００２４】
図７は、視聴計画設定画面の一例を示す図であり、視聴計画設定画面は推薦視聴リスト（推薦番組リスト）を含む。例えば、個人情報に含まれた育成したい能力（ジャンル別の番組視聴要求）が、語学、文学、歴史を示す場合には、推薦視聴リストには語学、文学、歴史に関する番組が含まれる。さらに、個人情報の中で文学、語学、歴史の順で優先付けされている場合には、推薦視聴リストには文学、語学、歴史の順で視聴候補が示される。例えば、文学に対する視聴要求値が最も高く、語学に対する視聴要求値が次に高く、歴史に対する視聴要求値が低い場合、文学、語学、歴史の順に優先度は低くなり、推薦視聴リストには文学、語学、歴史の順で視聴候補が示される。
【００２５】
視聴計画者は、視聴計画設定画面を見ながら、入力モジュール１１１を介して視聴計画を設定することができる（ＳＴ３０４）。即ち、所定期間（例えば１ヶ月）あたりのジャンル別の視聴上限時間（再生上限時間）を設定することができる。例えば、語学（英会話）の視聴上限時間（１５時間）、文学の視聴上限時間（１３時間）、歴史の視聴上限時間（８時間）、音楽の視聴上限時間（５時間）、科学の視聴上限時間（５時間）、アニメの視聴上限時間（８時間）、スポーツの視聴上限時間（１０時間）を設することができる。さらに、視聴計画者は、ペアレンタルコントロールを設定することもできる。ペアレンタルコントロールにより、視聴させたくない番組名を指定したり、視聴者（例えば子供）の年齢制限を指定したりすることができる。また、視聴計画者は、視聴必須番組を設定することもできる。
【００２６】
設定された視聴計画は、視聴計画データベース１１４に記憶（登録）される（ＳＴ３０５）。視聴計画には、視聴計画の生成に利用した個人情報に割り振られた視聴者番号と同じ視聴者番号が割り振られる。つまり、視聴者番号により個人情報と視聴計画とが対応付けらて管理される。即ち、複数の個人情報が登録され、各個人情報に基づき複数の視聴計画が登録された場合、各個人情報と各視聴計画とが対応付けて管理されることになる。
【００２７】
また、ディスプレイ制御モジュール１１３は、視聴計画をディスプレイ１１７に表示することができる。図８Ａは、ディスプレイ１１７に表示される視聴計画画面（初期画面）の一例を示す図である。図８Ａに示すように、視聴計画画面（初期画面）は、ジャンル別の視聴時間配分（ジャンル別の視聴上限時間）を示すとともに、ジャンル別の視聴実績も示す。なお、図８Ａに示す視聴計画画面（初期画面）は、番組を視聴していない段階の画面であり、視聴実績はゼロを示している。
【００２８】
なお、設定された視聴計画は、途中で変更することができる。例えば、当初、英語の視聴上限時間を１５時間に設定したが、予想以上に英語の視聴が進み、視聴計画者が、さらに英語の視聴を許可したいと考えた場合、入力モジュール１１１を介して、英語の視聴上限時間を１８時間などに変更することができる。これにより、ジャンル別の視聴の進捗状況に応じた柔軟な対応が可能となる。
【００２９】
次に、視聴者認証について説明する。入力モジュール１１６は、例えば、視聴者（例えば視聴者の顔）を撮影するカメラ、視聴者の会話等を入力するマイクであり、入力制御モジュール１１２は、入力モジュール１１６を制御する。例えば、入力モジュール１１１を介して視聴者登録モードが実行され、入力モジュール１１６により視聴者が撮影されると、解析モジュール１０６は、入力モジュール１１６により撮影された映像を解析し、視聴者の特徴情報を取得し、個人特徴データを生成する。個人情報データベース１０５は、生成された個人特徴データを記憶（登録）する。なお、図４に示すように、個人特徴データには視聴者番号が割り振られる。つまり、視聴者番号により、図４に示す個人特徴データと図５に示す個人情報とが対応付けて管理される。
【００３０】
また、入力モジュール１１１を介して視聴計画テレビ１００の電源がオンされると、或いは入力モジュール１１１を介して番組が選択されると、視聴者認証モードが実行され、視聴者の認証に成功した場合に、番組選択等の操作が受け付けられる。認証モードが実行され、入力モジュール１１６により視聴者（顔）が撮影されると、解析モジュール１０６は、入力モジュール１１６により撮影された映像を解析し、視聴者の特徴情報を取得し、個人特徴データを生成する。さらに解析モジュール１０６は、生成した個人特徴データと個人情報データベース１０５から読み出した登録個人特徴データとを比較し、両データの類似度を計算し、計算結果に基づき視聴者を認証する。
【００３１】
なお、上記説明では、視聴者（顔）を撮影し、視聴者を認証するケースについて説明したが、その他の認証方法を用いてもよい。例えば、視聴者の指紋を利用し、視聴者を認証するようにしてもよい。
【００３２】
また、解析モジュール１０６は、入力モジュール１１６で取得された音声レベルを検出し、視聴計画管理モジュールは、検出された音声レベルに基づきユーザの視聴状態を分析する。分析結果を個人情報の嗜好性などに反映する。この分析結果が反映された個人情報を次回の視聴計画の基礎データにすることができる。即ち、分析結果を当月の視聴計画へ反映するのではなく（当月の視聴計画を変更するのではなく）、分析結果を次月以降の視聴計画に反映することができる。
【００３３】
次に、番組再生制御について説明する。図２は、番組再生制御の一例を示すフローチャートである。視聴者が、入力モジュール１１１を介して、視聴計画テレビ１００の電源をオンにし、希望のコンテンツを選択すると（ＳＴ２０１）、上記したように、視聴者認証モードが実行される。即ち、入力モジュール１１６により視聴者（顔）が撮影され、解析モジュール１０６が、撮影された映像を解析し視聴者の特徴情報を取得し、個人特徴データを生成する。さらに解析モジュール１０６が、生成した個人特徴データと個人情報データベース１０５から読み出した登録個人特徴データとを比較し、両データの類似度を計算し、計算結果に基づき視聴者を認証する（ＳＴ２０２）。
【００３４】
続いて、視聴計画管理モジュール１０８は、視聴者番号ｎが割り振られた個人特徴データに基づき視聴者が認証された場合、視聴計画データベース１１４から視聴者番号ｎが割り振られた視聴計画を読み出す（ＳＴ２０３）。
【００３５】
さらに、視聴計画管理モジュール１０８は、選択されたコンテンツが、読み出した視聴計画に示された条件に適合したコンテンツであるか否かを判断する。視聴計画管理モジュール１０８は、選択したコンテンツのジャンルの視聴上限時間と選択したコンテンツのジャンルの視聴時間との差分時間が所定時間（例えば１０分）以上である場合に、視聴計画に示された条件に適合と判断し、選択されたコンテンツの再生を許可する。例えば、選択したコンテンツのジャンルがアニメであり、視聴計画が、アニメの視聴上限８時間を含み、且つアニメの視聴実績が８時間未満（例えばアニメの視聴実績が７時間５０分未満）であれば、視聴上限時間と視聴時間との差分時間は所定時間以上となる。この場合、視聴計画管理モジュール１０８は、選択されたコンテンツが、読み出した視聴計画に示された条件に適合したコンテンツであると判断し（ＳＴ２０４、ＹＥＳ）、選択したコンテンツ（アニメ）の再生を許可する。これにより、選択したコンテンツ（アニメ）が再生され、ディスプレイ１１７には選択したコンテンツ（アニメ）が表示される（ＳＴ２０７）。なお、選択した所定ジャンルのコンテンツの再生時間ｎに対して、所定ジャンルの視聴上限時間と所定ジャンルの視聴実績時間との差分時間がｎ未満である場合に、「選択したコンテンツを最後まで視聴できません」などの案内をディスプレイ１１７に表示するようにしてもよい。
【００３６】
時間測定モジュール１０７は、コンテンツの視聴時間（再生時間）を測定し、視聴計画管理モジュール１０８は、視聴計画に対して、測定された視聴時間を視聴実績として反映する。例えば、コンテンツ（アニメ）が再生され、視聴時間が測定された場合、アニメの視聴実績が増加することになる。コンテンツ（アニメ）の視聴実績の増加に伴い、コンテンツ（アニメ）の視聴実績がコンテンツ（アニメ）の視聴上限時間に達すると、コンテンツ（アニメ）の再生は停止される。つまり、視聴者は、アニメの視聴上限時間を超えて、コンテンツ（アニメ）を視聴することはできない。これにより、視聴計画者の意図する視聴制御が実現される。
【００３７】
また、入力モジュール１１６のカメラ、マイクにより、視聴態度が監視され、視聴計画に対して視聴態度が反映される（ＳＴ２０８）。例えば、解析モジュール１０６により、視聴者の動きが検出され、また視聴者の会話が検出される。視聴計画管理モジュール１０８は、視聴者の動きが大きければ集中力が低下していると判断し、視聴者の会話が多ければ或いは視聴者の会話の音量が大きければ集中力が低下していると判断し、嗜好性レベルを下げる。
【００３８】
コンテンツの視聴が進むと、図８Ａに示す視聴計画画面に含まれる視聴実績が更新される。図８Ｂは、視聴計画画面（視聴開始後の画面）の一例を示す図である。図８Ｂに示すように、視聴計画画面は、ジャンル別の視聴時間配分を示すとともに、ジャンル別の視聴実績も示し、例えば、アニメについては、視聴時間配分８時間に対して、視聴実績８時間が示されており、視聴可能時間がゼロになっていることが分かる。
【００３９】
視聴計画管理モジュール１０８が、選択されたコンテンツが視聴計画に示された条件に不適合である判断すると（ＳＴ２０４、ＮＯ）、選択されたコンテンツの再生を禁止する。即ち、視聴計画管理モジュール１０８は、選択したコンテンツのジャンルの視聴上限時間と選択したコンテンツのジャンルの視聴時間との差分時間が所定時間（例えば１０分）未満である場合に、視聴計画に示された条件に不適合と判断し、選択されたコンテンツの再生を禁止する。
【００４０】
さらに、視聴計画管理モジュール１０８及びディスプレイ制御モジュール１１３は、視聴不可メッセージの表示及び視聴可能リストの表示を制御する。これにより、ディスプレイ１１７には、視聴不可メッセージが表示され、視聴可能リストが表示される。例えば、図８に示すように、アニメの視聴可能時間がゼロの状態で、アニメのコンテンツが選択されると、ディスプレイ１１７には、視聴不可メッセージが表示され、視聴可能リストが表示される。
【００４１】
図９は、視聴不可メッセージ及び視聴可能リストの表示画面の一例を示す図である。図９に示すように、視聴不可メッセージ及び視聴可能リストの表示画面には、選択されたコンテンツのタイトル（タイトルＡ）が表示され、選択されたコンテンツのジャンル（アニメ）が表示され、このジャンルの再生上限時間とこのジャンルの再生時間との差分時間（つまり残り視聴時間（０時間））が表示され、視聴不可メッセージがされる。さらに、表示画面には、視聴計画に基づき視聴可能リスト（再生可能な番組リスト）が表示される。例えば、語学、科学、文学に対する視聴可能時間が残っていれば、視聴可能リストは、語学、科学、文学に関する番組を含む。また、語学、科学、文学に対して設定された視聴上限時間に基づき、視聴候補の表示順序を決定するようにしてもよい。例えば、語学の視聴上限時間が１５時間で、科学の視聴上限時間が５時間で、文学の視聴上限時間が１３時間の場合、語学、文学、科学の順に優先度が低くなり、推薦視聴リストには語学、文学、科学の順で視聴候補が示される。或いは、語学、科学、文学の測定視聴時間に基づき、視聴候補の表示順序を決定するようにしてもよい。例えば、語学の測定視聴時間が１０時間で、科学の測定視聴時間が４時間で、文学の視聴測定時間が６．５時間の場合、語学の視聴達成度は６０％を超え、科学の視聴達成度は８０％、文学の視聴達成度は５０％である。これにより、推薦視聴リストには、文学、語学、科学の順で視聴候補が示される。視聴達成度の低いジャンルの番組を優先的に表示することにより、視聴時間配分に対する視聴バランスを整えることができる。
【００４２】
視聴者は、視聴不可メッセージ及び視聴可能リストの表示画面から、替わりのコンテンツを選択することができる。替わりのコンテンツが選択されると（ＳＴ２０６）、選択された替わりのコンテンツが再生され、ディスプレイ１１７には選択されたコンテンツが表示される（ＳＴ２０７）。
【００４３】
さらに、視聴計画テレビ１００により、以下を実現することもできる。
【００４４】
（１）視聴計画テレビ１００は、視聴者（子供）のスケジュールを記憶することができ、視聴者のスケジュールに合わせた推薦視聴リストを提供することができる。
【００４５】
（２）視聴計画テレビ１００は、USBインターフェース、ネットワークインターフェースを介して、個人情報、個人特徴データをエクスポートすることができる。
【００４６】
（３）視聴計画テレビ１００は、個人情報、個人特徴データを暗号化して外部機器へ出力することができる。
【００４７】
（４）視聴計画テレビ１００は、図書館などの文化／教育機関に設置することができ、視聴者登録後に視聴者に適切なコンテンツだけを提供することができる。
【００４８】
視聴計画テレビ１００により、以下の作用効果を得ることができる。
【００４９】
（１）視聴計画テレビ１００は、番組情報及び個人情報に基づき、個人に合った推薦番組リストを生成することができる。これにより、視聴計画者は、番組表などから視聴者に相応しい番組を調べる作業から開放される。つまり、視聴計画者の負担が大幅に軽減される。
【００５０】
（２）視聴計画テレビ１００は、事前に登録した個人特徴データに基づき、視聴者を認識することができる。これにより、視聴計画者は、視聴者に付き添うなどして、視聴者の視聴を監視しなくてよい。つまり、視聴計画者の負担が大幅に軽減される。
【００５１】
（３）視聴計画テレビ１００は、ジャンル別に、視聴時間を測定し集計することができる。これにより、視聴計画テレビ１００は、視聴実績に応じて視聴を制御することができる。
【００５２】
（４）視聴計画テレビ１００は、視聴計画及び視聴実績に基づき選択コンテンツの視聴を禁止する場合に、視聴可能リストを提示することができる。これにより、視聴計画テレビ１００は、視聴計画に沿ったバランスの良い視聴を実現することができる。
【００５３】
（５）視聴計画テレビ１００は、視聴者の視聴態度を監視することができ、視聴監視結果を個人情報に反映することができる。これにより、視聴者の視聴態度を考慮した視聴制御が可能となる。つまり、視聴者の嗜好性を尊重した視聴制御が可能となる。
【００５４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５５】
【図１】本発明の一実施形態に係る視聴計画テレビ（再生制御装置）の概略構成を示す図である。
【図２】番組再生制御の一例を示すフローチャートである。
【図３】視聴計画設定処理の一例を示すフローチャートである。
【図４】個人特徴データの管理の一例を示す図である。
【図５】個人情報の一例を示す図である。
【図６】番組情報の一例を示す図である。
【図７】視聴計画設定画面の一例を示す図である。
【図８Ａ】視聴計画画面（初期画面）の一例を示す図である。
【図８Ｂ】視聴計画画面（視聴開始後の画面）の一例を示す図である。
【図９】視聴不可メッセージ及び視聴可能リストの表示画面の一例を示す図である。
【符号の説明】
【００５６】
１００…視聴計画テレビ、１０１…受信アンテナ、１０２…チューナ、１０３…入力端子、１０４…バス、１０５…個人情報データベース、１０６…解析モジュール、１０７…時間測定モジュール、１０８…視聴計画管理モジュール、１０９…デコードモジュール、１１０…パスワード認証モジュール、１１１…入力モジュール、１１２…情報処理モジュール、１１３…表示制御モジュール、１１４…視聴計画データベース、１１５…コンテンツデータベース、１１６…情報取得モジュール、１１７…ディスプレイ
【図１】
2010087872.tif 000003
【図２】
2010087872.tif 000004
【図３】
2010087872.tif 000005
【図４】
2010087872.tif 000006
【図５】
2010087872.tif 000007
【図６】
2010087872.tif 000008
【図７】
2010087872.tif 000009
【図８Ａ】
2010087872.tif 000010
【図８Ｂ】
2010087872.tif 000011
【図９】
2010087872.tif 000012
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
番組のジャンル別の再生上限時間を設定する設定手段と、
番組を選択可能にする選択手段と、
前記選択手段で選択される番組のジャンルに応じて再生時間を測定する測定手段と、
前記再生上限時間に基づき、前記選択される番組の再生を制御する再生制御手段と、
を備えたことを特徴とする再生制御装置。
【請求項２】
前記再生制御手段は、前記再生時間に基づき、前記選択される番組の再生を制御することを特徴とする請求項１に記載の再生制御装置。
【請求項３】
前記再生制御手段は、前記選択される番組のジャンルの再生上限時間と再生時間との差分時間が所定時間未満である場合に、前記選択される番組の再生を禁止することを特徴とする請求項１に記載の再生制御装置。
【請求項４】
前記設定手段は、前記再生上限時間の変更入力に基づき、前記再生上限時間を変更することを特徴とする請求項１に記載の再生制御装置。
【請求項５】
前記再生上限時間を出力する出力手段を備えたことを特徴とする請求項１に記載の再生制御装置。
【請求項６】
前記再生時間を出力する出力手段を備えたことを特徴とする請求項１に記載の再生制御装置。
【請求項７】
前記選択される番組のジャンルの再生上限時間と再生時間との差分時間を表示するための表示情報を出力する出力手段を備えたことを特徴とする請求項１に記載の再生制御装置。
【請求項８】
各番組のジャンル及びジャンルに応じた番組視聴要求を含む個人情報に基づき推薦番組リストを生成する番組リスト生成手段と、
前記推薦番組リストを出力する出力手段と、
を備えたことを特徴とする請求項１に記載の再生制御装置。
【請求項９】
前記ジャンル別の再生上限時間と前記ジャンルに応じた再生時間との各差分時間に基づき再生可能なジャンルを検出し、前記再生可能なジャンルに基づき再生可能な番組を検出し、再生可能な番組リストを生成する番組リスト生成手段と、
前記選択される番組の再生禁止時に、前記番組リストを表示するための表示情報を出力する出力手段と、
を備えたことを特徴とする請求項３に記載の再生制御装置。
【請求項１０】
前記番組リスト生成手段は、前記ジャンルに応じた再生時間に基づき再生可能な番組の優先順位を決定し、この優先順位に基づき前記番組リストを生成することを特徴とする請求項９に記載の再生制御装置。
【請求項１１】
視聴者の特徴情報を登録する登録手段と、
視聴者の特徴情報を読み取る読取手段と、
前記登録特徴情報及び前記読取特徴情報に基づき視聴者を認識する認識手段と、
を備え、
前記設定手段は、視聴者別の前記再生上限時間を設定し、
前記測定手段は、視聴者別の前記再生時間を測定し、
前記再生制御手段は、前記認識手段で認識される視聴者用に設定される前記再生上限時間に基づき、前記選択される番組の再生を制御する、
ことを特徴とする請求項１に記載の再生制御装置。
【請求項１２】
前記再生制御手段は、前記認識手段で認識される視聴者用に測定される前記再生時間に基づき、前記選択される番組の再生を制御する、
ことを特徴とする請求項１１に記載の再生制御装置。
【請求項１３】
番組のジャンル別の再生上限時間を設定し、
選択される番組のジャンルに応じて再生時間を測定し、
前記再生上限時間に基づき、前記選択される番組の再生を制御する、
ことを特徴とする再生制御方法。
【請求項１４】
前記再生時間に基づき、前記選択される番組の再生を制御することを特徴とする請求項１３に記載の再生制御方法。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
視聴者の特徴情報を登録する登録手段と、
前記登録手段により登録された前記視聴者の特徴情報とジャンルに応じた番組視聴要求を含む個人情報とを対応付けて管理する管理手段と、
各番組のジャンル及び前記個人情報に基づき推薦番組リストを生成する番組リスト生成手段と、
前記推薦番組リストを含む視聴計画設定画面を出力する出力手段と、
前記視聴計画設定画面において番組のジャンル別の再生上限時間を設定する設定手段と、
視聴者の特徴情報を読み取る読取手段と、
前記登録特徴情報及び前記読取特徴情報に基づき視聴者を認識する認識手段と、
番組を選択可能にする選択手段と、
前記選択手段で選択された選択番組のジャンルに応じて再生時間を測定する測定手段と、
前記認識手段により前記登録特徴情報に応じた視聴者が認識された場合、前記設定手段により設定された前記再生上限時間及び前記測定手段により測定された測定再生時間に基づき、前記選択番組の再生を制御する再生制御手段と、
を備えたことを特徴とする再生制御装置。
【請求項２】
前記再生制御手段は、前記選択番組のジャンルの再生上限時間と前記選択番組のジャンルの測定再生時間との差分時間が所定時間未満である場合に、前記選択番組の再生を禁止することを特徴とする請求項１に記載の再生制御装置。
【請求項３】
前記設定手段は、前記再生上限時間の変更入力に基づき、前記再生上限時間を変更することを特徴とする請求項１に記載の再生制御装置。
【請求項４】
前記再生上限時間を出力する出力手段を備えたことを特徴とする請求項１に記載の再生制御装置。
【請求項５】
前記測定再生時間を出力する出力手段を備えたことを特徴とする請求項１に記載の再生制御装置。
【請求項６】
前記選択番組のジャンルの再生上限時間と前記選択番組のジャンルの測定再生時間との差分時間を表示するための表示情報を出力する出力手段を備えたことを特徴とする請求項１に記載の再生制御装置。
【請求項７】
前記ジャンル別の再生上限時間と前記ジャンルに応じた測定再生時間との各差分時間に基づき再生可能なジャンルを検出し、前記再生可能なジャンルに基づき再生可能な番組を検出し、再生可能な番組リストを生成する番組リスト生成手段と、
前記選択番組の再生禁止時に、前記番組リストを表示するための表示情報を出力する出力手段と、
を備えたことを特徴とする請求項２に記載の再生制御装置。
【請求項８】
前記番組リスト生成手段は、前記ジャンルに応じた測定再生時間に基づき再生可能な番組の優先順位を決定し、この優先順位に基づき前記番組リストを生成することを特徴とする請求項７に記載の再生制御装置。
【請求項９】
視聴態度を監視する監視手段と、
前記監視手段による視聴態度の監視結果に基づき、前記個人情報に含まれたジャンル別嗜好性レベルを変更する変更手段と、
を備えたことを特徴とする請求項１に記載の再生制御装置。
【請求項１０】
前記設定手段は、視聴させたくない番組名を設定することを特徴とする請求項１に記載の再生制御装置。
【請求項１１】
前記設定手段は、視聴必須番組を設定することを特徴とする請求項１に記載の再生制御装置。
【手続補正３】
【補正対象書類名】明細書
【補正対象項目名】０００８
【補正方法】変更
【補正の内容】
【０００８】
本発明の目的は、番組のジャンル別の視聴実績に基づきジャンル別の番組再生を制御することが可能な再生制御装置を提供することにある。
【手続補正４】
【補正対象書類名】明細書
【補正対象項目名】００１１
【補正方法】変更
【補正の内容】
【００１１】
本発明によれば、番組のジャンル別の視聴実績に基づきジャンル別の番組再生を制御することが可能な再生制御装置を提供できる。